(57)【要約】【課題】  容易に無線通信の設定を行うことができる無線通信システム、情報出力装置、及び商品販売情報処理装置を提供する。【解決手段】  一実施形態に係る無線通信システムは、商品販売情報処理装置と、前記商品販売情報処理装置と通信する情報出力装置とを備える無線通信システムである。前記情報出力装置は、前記商品販売情報処理装置から送信された情報出力指示に応じて情報の出力を行い、且つ通信アドレスと無線通信に用いる周波数を示す通信チャネルとをコード化した図柄である通信設定パターンを出力する図柄出力部を具備する。前記商品販売情報処理装置は、前記通信設定パターンとしてコード化された前記通信チャネル及び前記通信アドレスを取得する取得部と、前記取得部により取得した前記通信チャネルが示す周波数で無線通信を行う無線通信部と、前記情報出力指示を生成し、無線通信部により前記通信アドレスに対応した機器に前記情報出力指示を送信する制御部と、を具備する。【選択図】図２
2018045314.tif 000002
【特許請求の範囲】
【請求項１】
商品販売情報処理装置と、前記商品販売情報処理装置と通信する情報出力装置とを備える無線通信システムであって、
前記情報出力装置は、
所定の周波数で無線通信を行う第１の無線通信部と、
前記情報出力装置を前記商品販売情報処理装置に識別させる為の通信アドレスを記憶するメモリと、
前記商品販売情報処理装置から送信された情報出力指示に応じて情報の出力を行い、且つ前記メモリに記憶されている前記通信アドレスと前記第１の無線通信部が無線通信に用いる周波数を示す通信チャネルとをコード化した図柄である通信設定パターンを出力する図柄出力部と、
を具備し、
前記商品販売情報処理装置は、
前記通信設定パターンとしてコード化された前記通信チャネル及び前記通信アドレスを取得する取得部と、
前記取得部により取得した前記通信チャネルが示す周波数で無線通信を行う第２の無線通信部と、
前記情報出力指示を生成し、前記第２の無線通信部により前記通信アドレスに対応した機器に前記情報出力指示を送信する制御部と、
を具備する無線通信システム。
【請求項２】
前記図柄出力部は、前記情報出力装置の電源がオフ状態からオン状態になった場合に前記通信設定パターンを出力する請求項１に記載の無線通信システム。
【請求項３】
前記情報出力装置は、無線で電力を供給する送電台から供給された電力を受けとる受電部をさらに具備し、
前記図柄出力部は、前記受電部が新たな送電台から電力の供給を受けた場合に前記通信設定パターンを出力する請求項１に記載の無線通信システム。
【請求項４】
商品販売情報処理装置と通信する情報出力装置であって、
所定の周波数で無線通信を行う無線通信部と、
前記情報出力装置を前記商品販売情報処理装置に識別させる為の通信アドレスを記憶するメモリと、
前記商品販売情報処理装置から送信された情報出力指示に応じて情報の出力を行い、且つ前記メモリに記憶されている前記通信アドレスと前記無線通信部が無線通信に用いる周波数を示す通信チャネルとをコード化した図柄である通信設定パターンを出力する図柄出力部と、
を具備する情報出力装置。
【請求項５】
自身の無線通信用の周波数を示す通信チャネルと自身を他の機器に識別させる為の通信アドレスとをコード化して通信設定パターンとして出力する情報出力装置と通信する商品販売情報処理装置であって、
前記通信設定パターンとしてコード化された前記通信チャネル及び前記通信アドレスを取得する取得部と、
前記取得部により取得した前記通信チャネルが示す周波数で無線通信を行う無線通信部と、
前記情報出力装置に情報の出力を行わせる為の情報出力指示を生成し、前記無線通信部により前記通信アドレスに対応した機器に前記情報出力指示を送信する制御部と、
を具備する商品販売情報処理装置。
【発明の詳細な説明】
【技術分野】
【０００１】
本発明の実施形態は、無線通信システム、情報出力装置、及び商品販売情報処理装置に関する。
【背景技術】
【０００２】
ＰＯＳ端末と接続される種々の周辺機器が実用化されている。周辺機器は、例えば、タッチスキャナ、定置式バーコードスキャナ、レシートプリンタ、ドロワ、自動釣銭機、クレジットカード端末、暗証番号入力機、ポイントカード端末、キーボード、客面表示器などである。また、これらの周辺機器とＰＯＳ端末とを無線で接続する技術が実用化されている。
【０００３】
周辺機器とＰＯＳ端末とを無線で接続する為には、周辺機器とＰＯＳ端末との間で通信設定を行う必要がある。例えば、スキャナによって通信相手を特定する為の通信アドレスを読み取り、通信設定を行う技術がある。
【先行技術文献】
【特許文献】
【０００４】
【特許文献１】特開２０１１−１３８２８５号公報
【発明の概要】
【発明が解決しようとする課題】
【０００５】
しかしながら、例えばレシートプリンタ及び表示装置などの入力インタフェースを備えていない周辺機器は、通信アドレスを読み取ることができない為、通信設定が複雑になるという課題がある。
【０００６】
そこで、本発明の目的は、容易に無線通信の設定を行うことができる無線通信システム、情報出力装置、及び商品販売情報処理装置を提供することである。
【課題を解決するための手段】
【０００７】
一実施形態に係る無線通信システムは、商品販売情報処理装置と、前記商品販売情報処理装置と通信する情報出力装置とを備える無線通信システムであって、前記情報出力装置は、所定の周波数で無線通信を行う第１の無線通信部と、前記情報出力装置を前記商品販売情報処理装置に識別させる為の通信アドレスを記憶するメモリと、前記商品販売情報処理装置から送信された情報出力指示に応じて情報の出力を行い、且つ前記メモリに記憶されている前記通信アドレスと前記第１の無線通信部が無線通信に用いる周波数を示す通信チャネルとをコード化した図柄である通信設定パターンを出力する図柄出力部と、を具備し、前記商品販売情報処理装置は、前記通信設定パターンとしてコード化された前記通信チャネル及び前記通信アドレスを取得する取得部と、前記取得部により取得した前記通信チャネルが示す周波数で無線通信を行う第２の無線通信部と、前記情報出力指示を生成し、前記第２の無線通信部により前記通信アドレスに対応した機器に前記情報出力指示を送信する制御部と、を具備する。
【図面の簡単な説明】
【０００８】
【図１】図１は、第１の実施形態に係る無線通信システムの構成の例について説明する為の図である。
【図２】図２は、第１の実施形態に係る無線通信システムのＰＯＳ端末、スキャナ、レシートプリンタ、及びＡＣアダプタの構成の例について説明する為の図である。
【図３】図３は、ＰＯＳ端末とレシートプリンタ行われる通信設定処理の例について説明する為の説明図である。
【図４】図４は、第２の実施形態に係る無線通信システムの構成の例について説明する為の図である。
【図５】図５は、第２の実施形態に係る無線通信システムのＰＯＳ端末、スキャナ、レシートプリンタ、及びＡＣアダプタの構成の例について説明する為の図である。
【図６】図６は、第２の実施形態に係るレシートプリンタの動作について説明する為の説明図である。
【発明を実施するための形態】
【０００９】
以下、一実施形態に係る無線通信システム、プリンタ、及びＰＯＳ端末について図面を参照して説明する。  
（第１の実施形態）  
まず、第１の実施形態に係る無線通信システム１について説明する。図１は、第１の実施形態に係る無線通信システム１の構成例を示す説明図である。無線通信システム１は、例えば、小売店などの店舗における会計システムなどに用いられる。無線通信システム１は、例えば、ＰＯＳ端末２、スキャナ３、レシートプリンタ４、及びＡＣアダプタ５を備える。
【００１０】
図２は、無線通信システム１のＰＯＳ端末２、スキャナ３、レシートプリンタ４、及びＡＣアダプタ５の構成例を示す図である。
【００１１】
ＰＯＳ端末２は、商品の認識、合計金額の算出、及び決済を行う装置（商品販売情報処理装置）である。ＰＯＳ端末２は、スキャナ３により読み取った商品のコードに応じて商品を認識する。ＰＯＳ端末２は、予め商品毎の識別情報と金額とが対応付けられたテーブルを参照し、認識した商品の金額を認識し、合計金額を算出する。さらに、ＰＯＳ端末２は、利用者から受け取った金額に応じて決済を行う。ＰＯＳ端末２は、ＣＰＵ２１、ＲＯＭ２２、ＲＡＭ２３、不揮発性メモリ２４、通信Ｉ／Ｆ２５、無線通信部２６、表示部２７、及び操作部２８を備える。また、ＰＯＳ端末２は、現金を収容するドロアをさらに備えていてもよい。
【００１２】
ＣＰＵ２１は、演算処理を実行する演算素子（たとえば、プロセッサ）である。ＣＰＵ２１は、ＲＯＭ２２、または不揮発性メモリ２４に記憶されているプログラムなどのデータに基づいて種々の処理を行う。ＣＰＵ２１は、ＲＯＭ２２または不揮発性メモリ２４に格納されているプログラムを実行することにより、種々の動作を実行可能な制御部として機能する。
【００１３】
ＲＯＭ２２は、読み出し専用の不揮発性メモリである。ＲＯＭ２２は、プログラム及びプログラムで用いられるデータなどを記憶する。
【００１４】
ＲＡＭ２３は、ワーキングメモリとして機能する揮発性のメモリである。ＲＡＭ２３は、ＣＰＵ２１の処理中のデータなどを一時的に格納する。また、ＲＡＭ２３は、ＣＰＵ２１が実行するプログラムを一時的に格納する。
【００１５】
不揮発性メモリ２４は、種々の情報を記憶可能な記憶媒体である。不揮発性メモリ２４は、プログラム及びプログラムで用いられるデータなどを記憶する。不揮発性メモリ２４は、例えば、ソリッドステイトドライブ（ＳＳＤ）、ハードディスクドライブ（ＨＤＤ）、または他の記憶装置である。なお、不揮発性メモリ２４の代わりに、メモリカードなどの記憶媒体を挿入可能なカードスロットなどのメモリＩ／Ｆが設けられていてもよい。例えば、不揮発性メモリ２４は、商品毎の識別情報と金額とが対応付けられた商品テーブルを記憶する。また、例えば、不揮発性メモリ２４は、ＰＯＳ端末２を他の機器に識別させる為の識別情報である通信アドレスを記憶する。通信アドレスは、例えばＭＡＣなどの識別情報である。また、例えば、不揮発性メモリ２４は、ＣＰＵ２１により設定された通信設定を記憶する。通信設定は、通信に用いる周波数（通信チャネル）と、通信相手の機器を識別する為の識別情報である通信アドレスとを有する。通信設定は、後述する通信設定処理によって生成される。なお、通信設定は、ＲＡＭ２３に記憶されてもよい。
【００１６】
通信Ｉ／Ｆ２５は、他の機器と通信する為のインタフェースである。通信Ｉ／Ｆ２５は、ＵＳＢなどの何らかの通信規格に準じた構成の接続端子である。なお、通信Ｉ／Ｆ２５は、スキャナ３が接続可能なケーブルであってもよい。通信Ｉ／Ｆ２５は、スキャナ３とＢｌｕｅｔｏｏｔｈ（登録商標）などの規格に応じて無線通信を行うものであってもよい。
【００１７】
無線通信部２６は、他の電子機器と無線通信を行う為の回路である。無線通信部２６は、例えば、Ｗｉ−ｆｉ（登録商標）またはＢｌｕｅｔｏｏｔｈなどの無線通信用の通信規格に準じて無線通信を行う構成を備える。例えば、無線通信部２６は、アンテナと、アンテナにより電波を送受信する回路とを備える。無線通信部２６は、不揮発性メモリ２４に記憶されている通信設定に基づいて、通信チャネルを決定する。無線通信部２６は、決定した通信チャネルに応じて、通信に用いる周波数である送受信周波数を変更する。
【００１８】
表示部２７は、ＣＰＵ２１、または図示されないグラフィックコントローラなどの表示制御部から入力される映像信号に応じて画面を表示する表示装置を備える。
【００１９】
操作部２８は、操作部材の操作に基づいて、操作信号を生成する。操作部材は、例えば、タッチセンサ、テンキー、またはキーボードなどである。タッチセンサは、例えば、抵抗膜式タッチセンサ、または静電容量式タッチセンサ等である。即ち、タッチセンサは、ある領域内において指定された位置を示す情報を取得する。タッチセンサは、上記の表示部２７の表示装置と一体にタッチパネルとして構成されることにより、表示装置に表示された画面上のタッチされた位置を示す信号をＣＰＵ２１に入力する。
【００２０】
スキャナ３は、商品を識別する為の識別情報を読み取る装置である。例えば、スキャナ３は、商品にプリントされたコード（例えばバーコード、二次元コード、または他のコードなど）を読み取って識別情報を取得し、取得した識別情報をＰＯＳ端末２に送信する。スキャナ３は、読取部３１、制御部３２、及び通信Ｉ／Ｆ３３を備える。
【００２１】
読取部３１は、商品のコードを読み取る。読取部３１は、例えば、商品に対して光を照射し、反射光を受け取ることにより、商品のコードを読み取る。
【００２２】
制御部３２は、読取部３１により読み取ったコードを解析して商品の識別情報を取得する。制御部３２は、取得した識別情報を通信Ｉ／Ｆ３３を介してＰＯＳ端末２に送信する。
【００２３】
通信Ｉ／Ｆ３３は、他の機器と通信する為のインタフェースである。通信Ｉ／Ｆ３３は、ＵＳＢなどの何らかの通信規格に準じた構成の接続端子である。なお、通信Ｉ／Ｆ３３は、ＰＯＳ端末２が接続可能なケーブルであってもよい。通信Ｉ／Ｆ３３は、ＰＯＳ端末２とＢｌｕｅｔｏｏｔｈなどの規格に応じて無線通信を行うものであってもよい。即ち、スキャナ３は、ＰＯＳ端末２と無線で接続されるものであってもよい。
【００２４】
ＰＯＳ端末２のＣＰＵ２１は、スキャナ３から供給された識別情報を、上記の商品テーブルから抽出することにより、スキャナ３によりスキャンされた商品の金額を認識する。また、ＣＰＵ２１は、操作部２８から供給された操作信号に応じて、利用者からＰＯＳ端末２のオペレータが受け取った金額である預り金額を認識する。ＣＰＵ２１は、預り金額と商品の金額とに基づいて決済を行う。さらに、ＣＰＵ２１は、決済の結果に基づいて、印刷データ（情報出力指示）を生成する。印刷データは、例えば、複数のピクセルから成るラインが複数ライン並べられて構成される。例えば、印刷データの印刷項目は、店舗名などのデフォルトの印刷項目、日時、商品名、商品の金額、預り金額、及びお釣りの金額などを含む。
【００２５】
ＰＯＳ端末２のＣＰＵ２１は、無線通信部２６を介して印刷データをレシートプリンタ４に送信する。例えば、ＣＰＵ２１は、不揮発性メモリ２４に記憶されている通信設定の通信チャネルに基づいて、無線通信部２６の送受信周波数を変更する。さらに、ＣＰＵ２１は、不揮発性メモリ２４に記憶されている通信設定の通信アドレスを送信先として無線通信部２６により印刷データを送信する。
【００２６】
レシートプリンタ４は、ＰＯＳ端末２による決済の結果を紙などの媒体に印刷して出力する装置（情報出力装置）である。レシートプリンタ４は、ＰＯＳ端末２から決済の結果を示す印刷データを受け取り、受け取った印刷データに応じて媒体に印刷を行う。レシートプリンタ４は、制御部４１、無線通信部４２、記憶部４３、レシート印字部４４、電源部４５、及び受電部４６を備える。
【００２７】
制御部４１は、レシートプリンタ４の動作を制御する。制御部４１は、ＣＰＵ等のプロセッサ、プログラムメモリ、ワーキングメモリ及び各種インタフェースなどに構成される。制御部４１は、プロセッサがプログラムメモリに記憶したプログラムを実行することにより、各種の処理機能を実現する。例えば、制御部４１は、無線通信部４２による無線通信を制御する。また、例えば、制御部４１は、無線通信部４２を介してＰＯＳ端末２から受信した印刷データに基づいて、レシート印字部４４によりレシート（領収書）の印刷を行うようにレシート印字部４４を制御する。
【００２８】
無線通信部４２は、他の電子機器と無線通信を行う為の回路である。無線通信部４２は、例えば、Ｗｉ−ｆｉ（登録商標）またはＢｌｕｅｔｏｏｔｈなどの無線通信用の通信規格に準じて無線通信を行う構成を備える。例えば、無線通信部４２は、アンテナと、アンテナにより電波を送受信する回路とを備える。無線通信部４２は、制御部４１により設定された通信設定に基づいて、通信チャネルを決定する。即ち、無線通信部４２は、所定の周波数で無線通信を行う。無線通信部４２は、決定した通信チャネルに応じて、通信に用いる周波数である送受信周波数を変更する。
【００２９】
記憶部４３は、種々の情報を記憶可能な記憶媒体（メモリ）である。記憶部４３は、プログラム及びプログラムで用いられるデータなどを記憶する。記憶部４３は、例えば、半導体メモリである。なお、記憶部４３の代わりに、メモリカードなどの記憶媒体を挿入可能なカードスロットなどのメモリＩ／Ｆが設けられていてもよい。例えば、記憶部４３は、無線通信部４２が通信に用いる通信チャネルと、レシートプリンタ４を他の機器に識別させる為の識別情報である通信アドレスと、を記憶する。
【００３０】
レシート印字部４４は、制御部４１の制御に基づいて、図示されない収容部に収容されたロール紙などの印刷用の媒体に対して図柄を印刷するものである。例えば、レシート印字部４４は、印刷データに応じた図柄を印刷することにより、レシートを出力する。
【００３１】
電源部４５は、受電部４６から供給された電力の電圧を変換し、レシートプリンタ４の各部に電力を供給する。
【００３２】
受電部４６は、ＡＣアダプタ５から供給された電力を受電し、電源部４５に供給する。
【００３３】
ＡＣアダプタ５は、レシートプリンタ４に電力を供給する。ＡＣアダプタ５は、交流直流変換部５１、及び送電部５２を備える。交流直流変換部５１は、プラグ６を介して図示されない商用電源から供給される交流電力を直流電力に変換する。送電部５２は、ケーブルを介して交流直流変換部５１により変換された直流電力をレシートプリンタ４に供給する。
【００３４】
レシートプリンタ４の制御部４１は、ＰＯＳ端末２から無線通信部４２を介して供給された印刷データに応じた図柄を、レシート印字部４４により媒体に印刷することによりレシートを出力する。
【００３５】
次に、レシートプリンタ４とＰＯＳ端末２との間で行われる通信設定処理について説明する。
【００３６】
図３は、ＰＯＳ端末２とレシートプリンタ４との間で通信設定処理を行う際の無線通信システム１の各構成の動作について説明する為の説明図である。なお、ＰＯＳ端末２の不揮発性メモリ２４が記憶しているＰＯＳ端末２を他の機器に識別させる為の通信アドレスをＰＯＳ端末通信アドレスと称し、レシートプリンタ４の記憶部４３が記憶しているレシートプリンタ４を他の機器に識別させる為の通信アドレスをレシートプリンタ通信アドレスと称して以下説明する。
【００３７】
まず、ＡＣアダプタ５がプラグ６を介して商用電源に接続されると、ＡＣアダプタ５は、レシートプリンタ４に直流電力を送電する（ＡＣＴ１１）。
【００３８】
レシートプリンタ４は、ＡＣアダプタ５から供給された直流電力を受電する（ＡＣＴ１２）。ＡＣアダプタ５から電力が供給された場合、レシートプリンタ４の制御部４１は、プログラムを実行する。
【００３９】
レシートプリンタ４の制御部４１は、ＡＣアダプタ５から供給された直流電力を受電した場合、即ちレシートプリンタ４の電源がオンされたことを認識した場合、記憶部４３に記憶された通信チャネルを無線通信部４２に設定する（ＡＣＴ１３）。これにより、制御部４１は、無線通信部４２の送受信周波数を記憶部４３に記憶された通信チャネルに応じた周波数に設定する。これにより、レシートプリンタ４の制御部４１は、無線通信を行うことができる状態となる。なお、無線通信部４２の送受信周波数の設定に用いられる通信チャネルは、予め設定されたもの（例えばデフォルトの設定）であってもよいし、例えば乱数などに基づいて複数の選択肢の中から決定されたものであってもよい。
【００４０】
また、レシートプリンタ４の制御部４１は、レシートプリンタ４の電源がオンされたことを認識した場合、ＰＯＳ端末２にレシートプリンタ４との間の通信路を確立させる為の通信設定シートをレシート印字部４４により出力する（ＡＣＴ１４）。レシートプリンタ４の制御部４１は、記憶部４３により記憶されている通信チャネル及びレシートプリンタ通信アドレスに基づいて、ＰＯＳ端末２にレシートプリンタ４との通信に関する設定を行わせる為の図柄（通信設定パターン）を生成する。
【００４１】
通信設定パターンは、ＰＯＳ端末２に接続されたスキャナ３により読み取り可能な図柄である。通信設定パターンは、例えばバーコード、二次元コード、または他のコードなどである。制御部４１は、記憶部４３により記憶されている通信チャネル及びレシートプリンタ通信アドレスをコード化することによって、通信設定パターンを生成する。なお、通信設定パターンに用いられる通信チャネルは、ＡＣＴ１３において、無線通信部４２の送受信周波数の設定に用いられた通信チャネルである。また、通信設定パターンに用いられるレシートプリンタ通信アドレスは、予め設定されたもの（例えばデフォルトの設定）であってもよいし、例えば乱数などに基づいて生成されたものであってもよい。
【００４２】
レシートプリンタ４の制御部４１は、生成した通信設定パターンを、レシート印字部４４により媒体に印刷することにより通信設定シートを出力する。即ち、通信設定シートは、レシートプリンタ４において設定されている通信チャネル及びレシートプリンタ通信アドレスを含む通信設定パターンが印刷された媒体である。また、レシートプリンタ４の制御部４１は、通信設定シートに通信設定の変更を促すメッセージをさらに印刷してもよい。
【００４３】
ＰＯＳ端末２は、レシートプリンタ４から出力された通信設定シートに印刷された通信設定パターンに基づいて、通信チャネル及びレシートプリンタ通信アドレスを含む通信設定を設定する通信設定処理を行う。ＰＯＳ端末２のオペレータは、レシートプリンタ４から出力された通信設定シートに印刷された通信設定パターンをスキャナ３に読み取らせる（ＡＣＴ１５）。
【００４４】
スキャナ３の制御部３２は、読み取った情報をＰＯＳ端末２に送信する（ＡＣＴ１６）。即ち、スキャナ３の制御部３２は、読み取った通信設定パターンを解析して、元の通信チャネル及びレシートプリンタ通信アドレスを取得し、通信チャネル及びレシートプリンタ通信アドレスをＰＯＳ端末２に送信する。
【００４５】
ＰＯＳ端末２のＣＰＵ２１は、スキャナ３で読み取られた情報をスキャナ３から受信する（ＡＣＴ１７）。即ち、ＣＰＵ２１は、スキャナ３から通信チャネル及びレシートプリンタ通信アドレスを取得する。
【００４６】
ＰＯＳ端末２のＣＰＵ２１は、スキャナ３から取得した通信チャネルに基づいて、無線通信部２６の通信チャネルを設定する（ＡＣＴ１８）。即ち、ＣＰＵ２１は、取得した通信チャネル及びレシートプリンタ通信アドレスを含む通信設定を生成し、生成した通信設定を不揮発性メモリ２４に記憶する。さらに、ＣＰＵ２１は、無線通信部２６の送受信周波数を、不揮発性メモリ２４の通信設定の通信チャネルに応じた周波数に設定する。即ち、ＣＰＵ２１は、無線通信部２６の送受信周波数を、スキャナ３から取得した通信チャネルに応じた周波数に設定する。これにより、レシートプリンタ４とＰＯＳ端末２とに同じ通信チャネルが設定される。
【００４７】
ＰＯＳ端末２のＣＰＵ２１は、不揮発性メモリ２４の通信設定のレシートプリンタ通信アドレスを指定し、通信確認信号を無線通信部２６によりレシートプリンタ４に送信する（ＡＣＴ１９）。通信確認信号は、レシートプリンタ通信アドレスと、ＰＯＳ端末通信アドレスと、通信確認信号に対するレスポンス（通信確認応答）を要求する旨の情報とを含む信号である。ＣＰＵ２１は、レシートプリンタ通信アドレスを通信確認信号の所定の位置に格納することによって、通信確認信号を送信する対象の機器をレシートプリンタ通信アドレスによって指定する。
【００４８】
レシートプリンタ４の制御部４１は、ＰＯＳ端末２から無線通信によって送信された通信確認信号を無線通信部４２により受信する。制御部４１は、通信確認信号を受信した場合、通信確認信号が自身を対象として送信されたものであるか否か判断する。例えば、制御部４１は、通信確認信号の所定の位置に格納された通信アドレスと、記憶部４３に記憶されているレシートプリンタ通信アドレスとが一致する場合、通信確認信号が自身を対象として送信されたものであると判断する。また、制御部４１は、通信確認信号から通信確認信号を送信した機器の通信アドレスを取得する。即ち、制御部４１は、通信確認信号からＰＯＳ端末通信アドレスを取得する。例えば、制御部４１は、取得したＰＯＳ端末通信アドレスを記憶部４３に記憶する。
【００４９】
レシートプリンタ４の制御部４１は、通信確認信号が自身を対象として送信されたものであると判断した場合、通信確認応答を無線通信部４２によりＰＯＳ端末２に送信する（ＡＣＴ２０）。通信確認応答は、ＰＯＳ端末通信アドレスと、通信確認信号に応じた処理の実行結果を示す情報とを含む信号である。制御部４１は、ＰＯＳ端末通信アドレスを通信確認応答の所定の位置に格納することによって、通信確認応答を送信する対象の機器をＰＯＳ端末通信アドレスによって指定する。
【００５０】
ＰＯＳ端末２のＣＰＵ２１は、レシートプリンタ４から無線通信によって送信された通信確認応答を無線通信部２６により受信する。ＣＰＵ２１は、通信確認応答を受信した場合、通信確認応答が自身を対象として送信されたものであるか否か、及び通信確認信号に応じた処理が正常に実行されたか否か、を判断する。ＣＰＵ２１は、通信確認応答が自身を対象として送信されたものであり、且つ通信確認信号に応じた処理が正常に実行されたと判断した場合、レシートプリンタ４とＰＯＳ端末２との間で通信路が確立されたと判断する。
【００５１】
上記したように、レシートプリンタ４は、自身の通信アドレス及び通信チャネルを含む通信設定パターンが印刷された通信設定シートを出力する。ＰＯＳ端末２は、通信設定シートからスキャナ３によって通信設定パターンを読み取り、通信アドレス及び通信チャネルを取得し、取得した通信アドレス及び通信チャネルを用いてレシートプリンタ４との間で通信の為の初期設定を行う。これによって、レシートプリンタ４とＰＯＳ端末２とで同じ通信チャネルが設定され、且つレシートプリンタ４及びＰＯＳ端末２が互いの通信アドレスを把握することができる。これにより、レシートプリンタ４とＰＯＳ端末２との間で容易に無線通信の設定を行うことができる。
【００５２】
また、レシートプリンタ４は、電源がオンされるなどの所定のタイミングで自身の通信アドレス及び通信チャネルを含む通信設定パターンが印刷された通信設定シートを出力する。例えば、レシートプリンタ４は、自身の電源がオフ状態からオン状態になった場合に通信設定パターンを出力する。これにより、レシートプリンタ４は、操作部材を一切備えていない場合であっても、無線通信の設定の為の通信設定シートを出力することができる。
【００５３】
また、レシートプリンタ４とＰＯＳ端末２との間で通信路が確立された場合、ＰＯＳ端末２は、レシートプリンタ４にコマンドを送信することにより、レシートプリンタ４とＰＯＳ端末２との間で用いられている通信チャネルを変更する構成であってもよい。例えば、ＰＯＳ端末２は、レシートプリンタ４に対して新たに使用する通信チャネルを示す情報を含む通信チャネルの変更要求をレシートプリンタ４に送信する。レシートプリンタ４は、通信チャネルの変更要求を受信した場合、レシートプリンタ４は、通信チャネルの変更要求から新たに使用する通信チャネルを認識し、通信チャネルの変更要求に対するレスポンスを元の通信チャネルでＰＯＳ端末２に送信し、自身の記憶部４３の通信チャネルを新たに使用する通信チャネルに書き換える。ＰＯＳ端末２は、通信チャネルの変更要求に対するレスポンスを受信した場合、自身の不揮発性メモリ２４の通信設定の通信チャネルを新たに使用する通信チャネルに書き換える。これにより、ＰＯＳ端末２は、任意のタイミングでレシートプリンタ４との間で用いる通信チャネルを変更することができる。
【００５４】
なお、上記の実施形態では、レシートプリンタ４は、電源がオンになった際に通信設定シートを出力する構成であると説明したがこの構成に限定されない。レシートプリンタ４は、１日毎、数時間毎など周期的に通信設定シートを出力する構成であってもよい。
【００５５】
（第２の実施形態）  
次に、第２の実施形態に係る無線通信システム１Ａについて説明する。図４は、第２の実施形態に係る無線通信システム１Ａの構成例を示す説明図である。無線通信システム１Ａは、例えば、ＰＯＳ端末２、スキャナ３、レシートプリンタ４Ａ、及び送電台７Ａを備える。なお、第１の実施形態と同様の構成には同じ参照符号を付し、詳細な説明を省略する。
【００５６】
図５は、無線通信システム１ＡのＰＯＳ端末２、スキャナ３、レシートプリンタ４Ａ、及び送電台７Ａの構成例を示す図である。
【００５７】
レシートプリンタ４Ａは、ＰＯＳ端末２による決済の結果を紙などの媒体に印刷して出力する装置である。レシートプリンタ４Ａは、ＰＯＳ端末２から決済の結果を示す印刷データを受け取り、受け取った印刷データに応じて媒体に印刷を行う。レシートプリンタ４Ａは、制御部４１Ａ、無線通信部４２、記憶部４３Ａ、レシート印字部４４、電源部４５、及び受電部４６Ａを備える。
【００５８】
制御部４１Ａは、レシートプリンタ４Ａの動作を制御する。制御部４１Ａの構成は、制御部４１と同様である。
【００５９】
記憶部４３Ａは、種々の情報を記憶可能な記憶媒体である。記憶部４３Ａは、プログラム及びプログラムで用いられるデータなどを記憶する。記憶部４３Ａは、例えば、半導体メモリである。なお、記憶部４３Ａの代わりに、メモリカードなどの記憶媒体を挿入可能なカードスロットなどのメモリＩ／Ｆが設けられていてもよい。例えば、記憶部４３Ａは、無線通信部４２が通信に用いる通信チャネルと、レシートプリンタ４Ａを他の機器に識別させる為の識別情報である通信アドレスと、を記憶する。さらに、記憶部４３Ａは、レシートプリンタ４Ａに電力を供給する送電台７Ａ固有の識別情報（送電台識別情報）を記憶する。
【００６０】
受電部４６Ａは、送電台７Ａから供給された電力を受電し、電源部４５に供給する。受電部４６Ａは、無線で電力を受けとるトランス回路を備える。また、受電部４６Ａは、トランス回路によって無線通信によって情報を送受信することもできる。受電部４６Ａは、受け取った情報を制御部４１Ａに送信する。
【００６１】
送電台７Ａは、レシートプリンタ４Ａに電力を供給する。送電台７Ａは、電源部７１Ａ、及び送電部７２Ａを備える。電源部７１Ａは、図示されないＡＣアダプタを介して商用電源から供給された電力を送電部７２Ａに供給する。送電部７２Ａは、無線で電力を送るトランス回路を備える。送電部７２Ａのトランス回路は、送電台７Ａに置かれたレシートプリンタ４Ａの受電部４６Ａと磁気的に接続される。送電部７２Ａは、電源部７１Ａから供給された電力によってトランス回路に磁界を発生させることにより、送電台７Ａに置かれたレシートプリンタ４Ａの受電部４６Ａのトランス回路に誘導電流を生じさせる。これにより、送電部７２Ａは、無線で電力をレシートプリンタ４Ａに供給する。
【００６２】
さらに、送電部７２Ａは、トランス回路を介してレシートプリンタ４Ａの受電部４６Ａに信号を送信する通信機能を備える。例えば、送電部７２Ａは、トランス回路に流す電流を変化させることにより、受電部４６Ａに電力を供給すると共に送電台７Ａの送電台識別情報をレシートプリンタ４Ａに送信する。また、送電部７２Ａは、レシートプリンタ４Ａの受電部４６Ａが受電した電力値を通信により取得し、送信電力の制御、及び送電部７２Ａと受電部４６Ａとの間の異物の検出などを行ってもよい。
【００６３】
レシートプリンタ４Ａの制御部４１Ａは、ＰＯＳ端末２から無線通信部４２を介して供給された印刷データに応じた図柄を、レシート印字部４４により媒体に印刷することによりレシートを出力する。
【００６４】
また、レシートプリンタ４Ａの制御部４１Ａは、受電部４６Ａにより送電台７Ａから取得した送電台識別情報を記憶部４３Ａに記憶する。
【００６５】
またさらに、レシートプリンタ４Ａの制御部４１Ａは、受電部４６Ａにより送電台７Ａから新たな送電台識別情報を取得した場合、即ち、送電台７Ａとの接続関係が変更された場合、上記の通信設定シートを出力する処理を実行する。
【００６６】
図６は、レシートプリンタ４Ａの動作について説明する為の説明図である。なお、図６の処理は、図３におけるＡＣＴ１３に対応するものである。
【００６７】
レシートプリンタ４Ａの制御部４１Ａは、送電台７Ａから送電台識別情報を受信したか否か判断する（ＡＣＴ３１）。
【００６８】
制御部４１Ａは、送電台７Ａから送電台識別情報を受信したと判断した場合（ＡＣＴ３１、ＹＥＳ）、受信した送電台識別情報と、記憶部４３に記憶されている送電台識別情報とが一致するか否か判断する（ＡＣＴ３２）。
【００６９】
制御部４１Ａは、受信した送電台識別情報と、記憶部４３に記憶されている送電台識別情報とが一致しないと判断した場合（ＡＣＴ３２、ＮＯ）、受信した送電台識別情報を記憶部４３に記憶されている送電台識別情報に上書きする（ＡＣＴ３３）。
【００７０】
制御部４１Ａは、記憶部４３に記憶された通信チャネルを無線通信部４２に設定する（ＡＣＴ３４）。即ち、制御部４１Ａは、無線通信部４２の送受信周波数を記憶部４３Ａに記憶された通信チャネルに応じた周波数に設定する。これにより、レシートプリンタ４の制御部４１Ａは、無線通信を行うことができる状態を起動する。なお、無線通信部４２の送受信周波数の設定に用いられる通信チャネルは、予め設定されたもの（例えばデフォルトの設定）であってもよいし、例えば乱数などに基づいて複数の選択肢の中から決定されたものであってもよい。
【００７１】
さらに、制御部４１Ａは、ＡＣＴ３４の処理を行った後に図３のＡＣＴ１４に移行して通信設定シートを出力する。
【００７２】
また、制御部４１Ａは、受信した送電台識別情報と、記憶部４３に記憶されている送電台識別情報とが一致すると判断した場合（ＡＣＴ３２、ＹＥＳ）、図６の処理を終了する。この場合、制御部４１Ａは、図３のＡＣＴ１４に移行して通信設定シートを出力する構成であってもよいし、図３のＡＣＴ１４を実行せずに待機する構成であってもよい。
【００７３】
上記したレシートプリンタ４Ａは、ある送電台７Ａから新たな送電台７Ａの上に置かれた場合に、ＰＯＳ端末２との通信設定処理を行う必要があると判断する。この為、レシートプリンタ４Ａの制御部４１Ａは、現在置かれている送電台７Ａから受信した送電台識別情報と、記憶部４３に記憶されている送電台識別情報とが一致しない場合に新たな送電台７Ａの上に置かれたことを認識し、ＰＯＳ端末２との通信設定処理を行う為にレシート印字部４４により通信設定シートを出力する。即ち、レシートプリンタ４Ａは、新たな送電台７Ａから電力の供給を受けた場合に通信設定パターンを出力する。このような構成によると、レシートプリンタ４Ａは、同じ送電台７Ａに乗せられている間、ＰＯＳ端末２との間で通信設定処理を再度行う必要がなくなる。
【００７４】
なお、上記した実施形態では、無線通信システム１は、ＰＯＳ端末２とレシートプリンタ４との間で通信設定処理を行うものであるとして説明したが、この構成に限定されない。ＰＯＳ端末２は、通信設定パターンを読み取り可能な何らかの装置であれば如何なるものであってもよい。また、レシートプリンタ４は、通信設定パターンの図柄を形成することができるものであれば如何なるものであってもよい。例えば、レシートプリンタ４は、印字部を持たず、通信設定パターンの図柄を表示する表示装置を備えるものであってもよい。
【００７５】
また、上記の実施形態では、レシートプリンタ４は、通信アドレス及び通信チャネルを含む通信設定パターンを媒体に印字する構成であると説明したが、この構成に限定されない。レシートプリンタ４は、予め設定された暗号化及び復号用のＰＩＮ、通信アドレス、及び通信チャネルを含む通信設定パターンを媒体に印字する構成であってもよい。このような構成によると、ＰＯＳ端末２は、図３のＡＣＴ１７において、ＰＩＮ、通信アドレス、及び通信チャネルを取得することができる。さらに、ＰＯＳ端末２及びレシートプリンタ４は、図３のＡＣＴ１９及びＡＣＴ２０の通信において、送受信する情報をＰＩＮで暗号化した状態で送信することができる。これにより、ＰＯＳ端末２とレシートプリンタ４との間で行われる通信設定処理のセキュリティの向上を図ることができる。なお、ＰＩＮは、予め設定されたものであってもよいし、通信設定シートを出力する際にレシートプリンタ４が乱数に基づいて生成するものであってもよい。またさらに、通信設定パターンには、無線通信用のパスワードなどが追加されてもよい。
【００７６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７７】
１…無線通信システム、２…ＰＯＳ端末、３…スキャナ、４…レシートプリンタ、５…アダプタ、６…プラグ、７Ａ…送電台、２１…ＣＰＵ、２２…ＲＯＭ、２３…ＲＡＭ、２４…不揮発性メモリ、２５…通信Ｉ／Ｆ、２６…無線通信部、２７…表示部、２８…操作部、３１…読取部、３２…制御部、３３…通信Ｉ／Ｆ、４１…制御部、４２…無線通信部、４３…記憶部、４４…レシート印字部、４５…電源部、４６…受電部、５１…交流直流変換部、５２…送電部、７１Ａ…電源部、７２Ａ…送電部。
【図１】
2018045314.tif 000003
【図２】
2018045314.tif 000004
【図３】
2018045314.tif 000005
【図４】
2018045314.tif 000006
【図５】
2018045314.tif 000007
【図６】
2018045314.tif 000008